【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
プライマリユーザのタイプのために予約された１つ以上のチャネル上で日和見的に動作する無線送受信ユニット（ＷＴＲＵ）において、
前記ＷＴＲＵに関連付けられた検知能力情報をストアし、
前記ＷＴＲＵと関連付けられた検知タイプがチャネルに関連付けられた許可可能なチャネル検知タイプに対応するかどうかに基づいて、前記ＷＴＲＵが当該チャネル上で通信をするのを許可されるかどうかを決定し、
前記ＷＴＲＵが当該チャネル上で通信をするのを許可されることの決定に基づいて、前記チャネル上で通信をするためのアソシエーションメッセージを送る
よう構成されたプロセッサ
を備えたことを特徴とするＷＴＲＵ。
【請求項２】
プライマリユーザのタイプのために予約された１つ以上のチャネル上で日和見的に動作する無線送受信ユニット（ＷＴＲＵ）のための方法において、
前記ＷＴＲＵにおいて、前記ＷＴＲＵに関連付けられた検知能力情報をストアするステップと、
前記ＷＴＲＵと関連付けられた検知タイプがチャネルに関連付けられた許可可能なチャネル検知タイプに対応するかどうかに基づいて、前記ＷＴＲＵが当該チャネル上で通信をするのを許可されるかどうかを決定するステップと、
前記ＷＴＲＵが当該チャネル上で通信をするのを許可されることの決定に基づいて、前記ＷＴＲＵから、前記チャネル上で通信をするためのアソシエーションメッセージを送るステップと
を備えることを特徴とする方法。
【請求項３】
前記プロセッサは、予約されたチャネルに関連付けられた許可可能なチャネル検知タイプの表示を受信するよう構成され、前記ＷＴＲＵは、前記ＷＴＲＵの前記検知能力情報に基づいて複数の検知タイプの１つに関連付けられており、
第１のクラスの検知デバイスはプライマリユーザの第１のタイプおよびプライマリユーザの第２のタイプの存在を検知するよう構成され、第２のクラスの検知デバイスはプライマリユーザの単一タイプの存在を検知するよう構成され、第３のクラスの検知デバイスは、検知能力を持っていないことを特徴とする請求項１に記載のＷＴＲＵ。
【請求項４】
前記ＷＴＲＵは、予約されたチャネルのプライマリユーザの少なくとも１つのタイプを検知する能力があることを特徴とする請求項１に記載のＷＴＲＵ。
【請求項５】
前記ＷＴＲＵは、モードＩデバイスまたはモードＩＩデバイスとして動作するよう構成されたことを特徴とする請求項１に記載のＷＴＲＵ。
【請求項６】
前記ＷＴＲＵは、検知専用デバイスとして動作することを特徴とする請求項１に記載のＷＴＲＵ。
【請求項７】
前記プロセッサは、前記ＷＴＲＵが前記チャネル上で通信をするのを許可されることの前記決定に基づいて、前記チャネル上でランダムアクセスチャネル手順を実行するようさらに構成されたことを特徴とする請求項１に記載のＷＴＲＵ。
【請求項８】
予約されたチャネルに関連付けられた許可可能なチャネル検知タイプの表示を受信するステップであって、前記ＷＴＲＵは、前記ＷＴＲＵの前記検知能力情報に基づいて複数の検知タイプの１つに関連付けられている、ステップをさらに備え、
第１のクラスの検知デバイスはプライマリユーザの第１のタイプおよびプライマリユーザの第２のタイプの存在を検知するよう構成され、第２のクラスの検知デバイスはプライマリユーザの単一タイプの存在を検知するよう構成され、第３のクラスの検知デバイスは、検知能力を持っていないことを特徴とする請求項２に記載の方法。
【請求項９】
前記ＷＴＲＵは、予約されたチャネルのプライマリユーザの少なくとも１つのタイプを検知する能力があることを特徴とする請求項２に記載の方法。
【請求項１０】
前記ＷＴＲＵは、モードＩデバイスまたはモードＩＩデバイスとして動作するよう構成されたことを特徴とする請求項２に記載の方法。
【請求項１１】
前記ＷＴＲＵは、検知専用デバイスとして動作することを特徴とする請求項２に記載の方法。
【請求項１２】
前記ＷＴＲＵが前記チャネル上で通信をするのを許可されることの前記決定に基づいて、前記チャネル上でランダムアクセスチャネル手順を実行するステップ
をさらに備えることを特徴とする請求項２に記載の方法。
【請求項１３】
日和見帯域における通信を容易にするアクセスポイント（ＡＰ）であって、
プライマリユーザのタイプによる使用のために予約されたチャネルと関連付けられたチャネル割り当てを受信し、
少なくとも１つの許可可能なチャネル検知タイプの表示と、許可可能な検知デバイスクラス情報を含む、前記チャネルに関連付けられた要求条件とをブロードキャストし、
許可可能な検知デバイスからの表示を受信する
よう構成されたプロセッサ
を備えたことを特徴とするＡＰ。
【請求項１４】
日和見帯域における通信を容易にするアクセスポイント（ＡＰ）のための方法であって、
プライマリユーザのタイプによる使用のために予約されたチャネルと関連付けられたチャネル割り当てを受信するステップと、
少なくとも１つの許可可能なチャネル検知タイプの表示と、許可可能な検知デバイスクラス情報を含む、前記チャネルに関連付けられた要求条件とをブロードキャストするステップと、
許可可能な検知デバイスからの表示を受信するステップと
を備えることを特徴とする方法。
【請求項１５】
プロセッサは、
前記チャネルの前記プライマリユーザを検知するための検知能力に基づいて、前記チャネルに関連付けられた少なくとも１つの許可可能なチャネル検知タイプを決定し、第１のクラスの検知デバイスはプライマリユーザの第１のタイプおよびプライマリユーザの第２のタイプの存在を検知するよう構成され、第２のクラスの検知デバイスはプライマリユーザの単一タイプの存在を検知するよう構成され、第３のクラスの検知デバイスは検知能力を持っておらず、
前記プライマリユーザのセンシングが必要とされるかどうかを決定する
よう構成されたことを特徴とする請求項１３に記載のＡＰ。
【請求項１６】
前記許可可能な検知デバイスからの前記表示は、アタッチメッセージであることを特徴とする請求項１３に記載のＡＰ。
【請求項１７】
前記許可可能な検知デバイスは、前記プライマリユーザが存在するかどうかを検知するセンシングを実行することを特徴とする請求項１３に記載のＡＰ。
【請求項１８】
前記ブロードキャストされた表示は、ビーコンを使用してブロードキャストされ、前記ビーコンは、前記チャネルを示しているチャネル識別子および前記チャネルに関連付けられた少なくとも１つの許可可能なチャネル検知タイプを含むことを特徴とする請求項１３に記載のＡＰ。
【請求項１９】
前記ブロードキャストされた表示は、マスタ情報ブロック（ＭＩＢ）、システム情報ブロック（ＳＩＢ）または同期チャネル（ＳＣＨ）の少なくとも１つを経由して、ブロードキャストされることを特徴とする請求項１３に記載のＡＰ。
【請求項２０】
前記チャネルの前記プライマリユーザを検知するための検知能力に基づいて前記チャネルに関連付けられた少なくとも１つの許可可能なチャネル検知タイプを決定するステップであって、第１のクラスの検知デバイスはプライマリユーザの第１のタイプおよびプライマリユーザの第２のタイプの存在を検知するよう構成され、第２のクラスの検知デバイスはプライマリユーザの単一タイプの存在を検知するよう構成され、第３のクラスの検知デバイスは検知能力を持っていない、ステップと、
前記プライマリユーザのセンシングが必要とされるかどうかを決定するステップと
をさらに備えることを特徴とする請求項１４に記載の方法。
【請求項２１】
前記許可可能な検知デバイスからの前記表示は、アタッチメッセージであることを特徴とする請求項１４に記載の方法。
【請求項２２】
前記許可可能な検知デバイスは、前記プライマリユーザが存在するかどうかを検知するセンシングを実行することを特徴とする請求項１４に記載の方法。
【請求項２３】
前記ブロードキャストされた表示は、ビーコンを使用してブロードキャストされ、前記ビーコンは、前記チャネルを示しているチャネル識別子および前記チャネルに関連付けられた少なくとも１つの許可可能なチャネル検知タイプを含むことを特徴とする請求項１４に記載の方法。
【請求項２４】
前記ブロードキャストされた表示は、マスタ情報ブロック（ＭＩＢ）、システム情報ブロック（ＳＩＢ）または同期チャネル（ＳＣＨ）の少なくとも１つを経由して、ブロードキャストされることを特徴とする請求項１４に記載の方法。